(57)【要約】    【課題】  保管時や印字の際には台紙より剥がれ難く、また、消費者に対し商品の購買意欲を促進するような商品ラベルおよびこれを用いた表示方法を提供することを課題とする。【解決手段】  台紙３にラベル基材２が仮着されてなる商品ラベル１であって、ラベル基材２の裏面は一部に接着剤層６、他の部分に擬似接着糊殺し加工された擬似接着剤層７が形成されており、また、表面は感熱発色層４が形成されており、接着剤層６および擬似接着剤層７を介して台紙３に仮着されているラベル基材２を台紙より剥離すると、擬似接着剤層７が再接着不可となることを特徴とする。【選択図】        図２
2007065089.tif 000002
【特許請求の範囲】
【請求項１】
台紙にラベル基材が仮着されてなる商品ラベルであって、
前記ラベル基材の裏面は一部に接着剤層、他の部分に擬似接着糊殺し加工された擬似接着剤層が形成されており、また、表面は感熱発色層が形成されており、
前記接着剤層および擬似接着剤層を介して台紙に仮着されているラベル基材を台紙より剥離すると、擬似接着剤層が再接着不可となることを特徴とする商品ラベル。
【請求項２】
前記ラベル基材の裏面における擬似接着剤層の占める割合が５０％から７０％であることを特徴とする請求項１に記載の商品ラベル。
【請求項３】
前記ラベル基材は、商品をイメージさせる形状を呈し、かつ、表面が商品をイメージさせる色彩およびデザインで作製されることを特徴とする請求項１および２に記載の商品ラベル。
【請求項４】
全体が商品をイメージさせる形状を呈するとともに、その表面が商品をイメージさせる色彩およびデザインで作製され、かつ、裏面の一部に形成した接着剤層、および他の部分に擬似接着糊殺し加工した擬似接着剤層が形成されてなるラベル基材が台紙に仮着されてなる商品ラベルを用いた表示方法であって、
前記接着剤層および擬似接着剤層を介して台紙に仮着されているラベル基材を台紙より剥離するとともに、前記接着剤層を商品のパッケージに貼り付けることを特徴とする商品ラベルを用いた表示方法。
【請求項５】
前記ラベル基材は、横１に対する縦の長さの比率が２．５ないし３．５であることを特徴とする請求項４に記載の商品ラベルを用いた表示方法。
【発明の詳細な説明】
【技術分野】
【０００１】
本発明は、特に、メロンや桃などの高級果物、あるいは青果などに用いて好適な商品ラベルおよびこれを用いた表示方法に関する。
【背景技術】
【０００２】
商品ラベルは、レジにてスキャナで商品内容を読取るためのラベルであり、バーコードなどで商品番号などを印字して表示している。
図７は、商品として桃２０を皿状のトレー２１に盛り付けて陳列した例を示しており、商品番号などをバーコードにより印字した商品ラベル２２はトレー２１の側面に貼付して表示していた。
しかしながら、バーコードが印字された商品ラベル２２は、レジでの処理効率を向上させるためには適しているものの、白黒の縞模様のため無味乾燥であり、消費者の購買意欲をそそるような商品ラベルの開発が望まれた。
【０００３】
上記の要望を実現させるべく、対象となる商品又は商品の一部の形態を表す商品形態図柄を併せて印字したような商品ラベルが開発された（例えば、特許文献１参照）。
この特許文献１の商品ラベルによれば、前述したように商品又は商品の一部の形態を表す商品形態図柄を併せて印字したので、商品ラベルを通じて商品の中身がある程度連想可能となり、消費者の購買意欲を喚起することが期待できるようになったが、消費者へのアピール用に商品形態図柄を印字するためラベルの大型化が避けられないものであった。
ラベル（商品ラベル）の大型化が余儀なくされても、トレーに盛り付け直してラップ（透明フィルム）を掛けるような、例えば魚の切り身や食肉などの生鮮食品には、ラップの上から貼付して表示できるため余り影響（不自由さ）は感じないものの、前述したように盛り付けてラップをしない桃２０のような果物の場合、高さの低いトレー２１に貼付するか、あるいは、商品（桃）２０に直接貼付するしかなく、ラベルの大型化が災いしてトレー２１の側面に貼付しにくく、しかも、低いトレー２１からはみ出した場合、はみ出した商品ラベル２２の裏面の粘着剤が商品（桃）２０に接触して商品を汚す恐れがあり、また、トレー２１に貼付しにくいからといって商品（桃）２０に商品ラベルを直接貼付すると粘着剤が付着して高級感が損なわれるという問題があった。
【特許文献１】特開２００２−２１５０４１号公報
【発明の開示】
【発明が解決しようとする課題】
【０００４】
本発明は、上記の問題点に着目して成されたものであり、保管時や印字の際には台紙より剥がれ難く、また、消費者に対し商品の購買意欲を促進するような商品ラベルおよびこれを用いた表示方法を提供することを課題とする。
【課題を解決するための手段】
【０００５】
第１の発明に係る商品ラベルは、台紙にラベル基材が仮着されてなる商品ラベルであって、前記ラベル基材の裏面は一部に接着剤層、他の部分に擬似接着糊殺し加工された擬似接着剤層が形成されており、また、表面は感熱発色層が形成されており、前記接着剤層および擬似接着剤層を介して台紙に仮着されているラベル基材を台紙より剥離すると、擬似接着剤層が再接着不可となることを特徴とする。
また、ラベル基材の裏面における擬似接着剤層の占める割合を５０％から７０％とすることができる。
また、ラベル基材は、商品をイメージさせる形状を呈し、かつ、表面が商品をイメージさせる色彩およびデザインで作製されるようにできる。
さらに、第２の発明に係る商品ラベルを用いた表示方法は、全体が商品をイメージさせる形状を呈するとともに、その表面が商品をイメージさせる色彩およびデザインで作製され、かつ、裏面の一部に形成した接着剤層、および他の部分に擬似接着糊殺し加工した擬似接着剤層が形成されてなるラベル基材が台紙に仮着されてなる商品ラベルを用いた表示方法であって、前記接着剤層および擬似接着剤層を介して台紙に仮着されているラベル基材を台紙より剥離するとともに、前記接着剤層を商品のパッケージに貼り付けることを特徴とする。
また、ラベル基材を、横１に対する縦の長さの比率が２．５ないし３．５であるようにできる。
【発明の効果】
【０００６】
本発明に係る商品ラベルは、ラベル基材の裏面の一部に接着剤層、他の部分に擬似接着糊殺し加工された擬似接着剤層が形成されているため、保管時には擬似接着剤層が台紙と馴染んで剥がれ難く、しかも、接着剤層および擬似接着剤層を介して台紙仮着されているラベル基材を台紙より剥離すると、擬似接着剤層が再接着不可となるため、商品を汚す心配がないという効果がある。
また、ラベル基材の裏面における擬似接着剤層の占める割合を、５０％から７０％程度とすれば、商品ラベルを巻回した際、台紙より剥がれ難く、また、印字の際の捲くれあがりの防止が期待できる。
また、ラベル基材を、商品をイメージさせる形状とし、かつ、表面が商品をイメージさせる色彩およびデザインで作製されるようにすれば、消費者に対する商品の販売および購買意欲を促進するために必要な宣伝効果を持たせることができる。
また、本発明に係る商品ラベルを用いた表示方法は、接着剤層および擬似接着剤層を介して台紙に仮着されているラベル基材を台紙より剥離するとともに、接着剤層を商品のパッケージに貼り付けるようにしたので、接着剤層をトレーやパッケージなどに貼って表示しても、商品ラベルが商品に再接着しないので商品を汚す恐れがないという効果がある。
また、ラベル基材を、横１に対する縦の長さの比率が２．５ないし３．５とすれば、適度に起立して表示でき、しかも、揺れて消費者の目を惹きつけることができる。
【発明を実施するための最良の形態】
【０００７】
以下、本発明の実施の形態による商品ラベルを図１ないし図６に基づき説明する。
なお、以下において、従来と同様の部分については同一符号を付すに止め、詳説は省略する。また、商品２０として「桃」を扱った例で説明する。
【０００８】
図１は、長尺状の台紙３にラベル基材２が仮着されている商品ラベル１の平面の説明図、図２は、図１中、矢示ＩＩ−ＩＩに沿った断面図、図３は、図１をひっくり返して台紙３側より見た説明図である。
主に、図１に示すように、商品ラベル１は、長尺状の台紙３の上にラベル基材２が等間隔で仮着されて成り、ラベル基材２は商品である桃２０をイメージ（想起）させるよう、桃の葉の形状をしている。なお、１０は、台紙３上に仮着されたラベル基材２の位置などを識別するための識別マークであり、台紙３の裏面に予め印刷されている。
図２にて示すように、ラベル基材２の表面側には、感熱発色層４が形成され、さらに、その上層に印刷層５が形成されている。
また、主に図２および図３に示すように、ラベル基材２の裏面側は、接着剤層６と擬似接着剤層７が形成されており、この接着剤層６および擬似接着剤層７を介してラベル基材２は台紙３に仮着されている。接着剤層６は、ラベル基材２が台紙３に仮着されているとき剥がれないようしっかりとラベル基材２を台紙３上に接着しており、また、台紙３からラベル基材２を剥がした後でも接着力は維持していてトレー２１など他への再接着が可能となっている。
一方、擬似接着剤層７は、台紙３に仮着されているときはなじんでラベル基材２を台紙３より容易に剥がれることがないようにしており、長尺状の台紙３ごと商品ラベル１を巻回しても剥がれにくく、しかしながら、一度台紙３より擬似接着剤層７部分を剥がすと、接着力が失われ今度は台紙３やトレー２１並びに商品２０などに二度と接着することがないようにされる、いわゆる、「擬似接着糊殺し加工」を施されている。
また、主に、図３で示すように、ラベル基材２の裏面における擬似接着剤層７の占める割合は、好ましくは５０％から７０％（図示の例では、およそ三分の二）とされており、従来の「部分糊殺し加工」では実現できなかった面積となっている。すなわち、従来の「部分糊殺し加工」では、前述したように商品ラベル１を巻回した際や、巻回した商品ラベル１を図示省略の印字装置で印字する際、捲くれ上がる恐れがあったため、「部分糊殺し加工」する面積を三分の一以上にできないという制約があったが、本発明では台紙３となじんで剥がれにくい「擬似接着糊殺し加工」となっているため、三分の二の面積が実現可能となっている。
また、ラベル基材２は、横１に対する縦の長さの比率が２．５ないし３．５となっており、トレー２０に表示した際、見映えのよい形状となっている。この長さの比率の詳細については後述する。
なお、印刷層５は、桃２０の葉をイメージ（想起）させるよう、緑色で印刷され、かつ、商品の「桃」の文字８が、例えば桃色（ピンク）や赤色系でプレ印刷されている。
【０００９】
図４は、上記の商品ラベル１に対し図示省略の印字装置で印字を施した例を示している。同図に示すように、プレ印字された桃の文字８のほか生産地情報９（図示の例では、「岡山産」）、商品番号などの商品情報を示すバーコード１０、生産元１１（図示の例では、「○×農協」）、商品の特徴を示す販売促進情報１２（図示の例では、「早生系の代表品種  果汁の多い桃です。」）などの所望の生産情報が印刷層５を通して感熱発色層４に印字された例を示している。
上記の生産情報の印字時、接着剤層６および「擬似接着糊殺し加工」されている擬似接着剤層７を介してラベル基材２の裏面が台紙３と仮着されているため捲くれ上がり難いものである。
【００１０】
次に、図５および図６を用いて、上記商品ラベル１を用いた表示方法につき説明する。図５は、トレー２１に表示した商品ラベル１のラベル基材２を正面より見た説明図、図６は、図５中、矢示ＶＩ方向より見た側面図である。
トレー２１に表示するため、図４の状態の商品ラベル１の台紙３よりラベル基材２を剥がす。台紙３より剥離されたラベル基材２の裏面には、再接着が可能な接着剤層６、および接着力を失って他への再接着が不可能な擬似接着剤層７が露呈するので、トレー２１にラベル基材２裏面の接着剤層６を介して貼り付け表示する。
主に、図５に示すように、トレー２１に表示された商品ラベル１のラベル基材２は、商品である桃２０をイメージ（想起）させる桃の葉の色彩およびデザインで作製され、さらに、商品名である「桃」の文字８、生産地情報９や販売促進情報１２などの所望の生産情報が印字されているため、消費者に対する商品の販売および購買意欲を促進するために必要な宣伝効果を持たせることができる。しかも、主に、図６に示すように、トレー２１より上部に突出した擬似接着剤層７部分は、接着力が失われているためべたつかず、したがって、商品２０に再接着して高級な桃２０を汚す恐れがなく、さらに、再接着しないので、図示省略の売場のエアコンや側を通った消費者の動きによる微風などにより図５における前後（図６における左右）方向に揺れるため、消費者の目を惹き易いものである。
また、ラベル基材２は、横（幅）１に対する縦（高さ）の長さの比率が２．５ないし３．５となっており、トレー２０に表示した際、見映えのよい形状となっている。すなわち、横１に対し、縦の比率が３．５を超える長さであると先方が自重で倒れたり、または丸まる恐れがあり、例えば、正面側（図５における手前側であり、図６における右側）に倒れたり、あるいは、丸まると葉っぱの形が見えにくくなり、場合によっては、生産地情報９が見えなくなる恐れがあり、または、後方側（図５における後方側であり、図６における左側）に倒れたり、あるいは、丸まると商品（桃）２０にもたれかかって揺れなくなる恐れがある。
他方、横１に対し、縦の比率が２．５以下の長さであると、トレー２１に表示した際、トレー２１の上方に突出する部分が少ないため、揺れる可能性が少なくなる恐れがある。
出願人は、ラベル基材２の横（幅）１に対する縦（高さ）の長さの比率を、２．５ないし３．５とすることにより、適度に起立して表示でき、しかも、揺れて消費者の目を惹きつける割合として好適であることを見出している。
【００１１】
上述したように、接着剤層６および擬似接着剤層７を介して台紙３に仮着されているラベル基材２を台紙３より剥離すると、擬似接着剤層７が再接着不可となるため、接着剤層６をトレー２１などに貼って表示しても、商品ラベル１（ラベル基材２）が商品２０に再接着する恐れがない。
また、ラベル基材２の裏面における擬似接着剤層７の占める割合を、５０％から７０％程度とすることにより、商品ラベル１を巻回した際、台紙３より剥がれ難く、また、印字の際の捲くれあがりがし難いものである。
また、ラベル基材２を、商品である桃２０をイメージ（想起）させる桃の葉の形状とし、かつ、表面が商品をイメージさせる色彩およびデザインで作製されるようにしたので、消費者に対する商品の販売および購買意欲を促進するために必要な宣伝効果を持たせることができる。
【００１２】
なお、上記実施の形態の構成及び動作は例であって、本発明の趣旨を逸脱しない範囲で適宜変更することができることは言うまでもない。
例えば、上記実施の形態においては、商品ラベル１のラベル基材２のデザインとして桃２０を例として説明したがこれに限定されないことは勿論であり、例えば、メロンなどの高級果物に表示する場合は、ラベル基材２の形状、色をメロンに合せて作製すればよく、さらに、図示省略の箱などのパッケージに貼り付けて表示しても構わない。
【図面の簡単な説明】
【００１３】
【図１】本発明の一実施の形態による商品ラベルの平面の説明図である。
【図２】同、図１中、矢示ＩＩ−ＩＩ線に沿う概略断面図である。
【図３】同、図１をひっくり返して台紙側より見た説明図である。
【図４】同、生産情報を印字した商品ラベルの、図１相当の概略説明図である。
【図５】同、商品ラベルを表示した例を示す説明図である。
【図６】同、図５中、矢示ＶＩ方向より見た側面図である。
【図７】従来の商品ラベルの表示例を示す説明図である。
【符号の説明】
【００１４】
１    商品ラベル
２    ラベル基材
３    台紙
４    感熱発色層
５    印刷層
６    接着剤層
７    擬似接着剤層
８    プレ印字された文字
９    生産地情報
１０  バーコード
１１  生産元
１２  販売促進情報
２０  商品（桃）
２１  トレー
２２  商品ラベル（従来）
【図１】
2007065089.tif 000003
【図２】
2007065089.tif 000004
【図３】
2007065089.tif 000005
【図４】
2007065089.tif 000006
【図５】
2007065089.tif 000007
【図６】
2007065089.tif 000008
【図７】
2007065089.tif 000009